(57)【要約】【課題】  本発明は、伝送制御信号を受信するための待機電力を削減することができる伝送制御信号受信機及びそれを用いた地上デジタルテレビジョン放送受信機を提供することを目的とする。【解決手段】  地上デジタルテレビジョン放送の受信チャンネル信号の帯域上端にあるパイロットキャリアの周波数に同期した基準周波数信号を生成する基準周波数信号生成手段５４，５８，６０，６２，６４と、受信チャンネル信号と前記基準周波数信号から生成した伝送制御信号周波数の信号とを混合して伝送制御信号キャリアを得る検波手段５６，６８と、伝送制御信号キャリアの低域成分である伝送制御信号成分を抽出する伝送制御信号成分抽出手段７０と、伝送制御信号成分を前記基準周波数信号に基づいて生成された前記伝送制御信号の同期信号パターンと相関受信して伝送制御信号を得る相関受信手段７６を有する。【選択図】        図４
2005295053.tif 000002
【特許請求の範囲】
【請求項１】
地上デジタルテレビジョン放送の受信チャンネル信号の帯域上端にあるパイロットキャリアの周波数に同期した基準周波数信号を生成する基準周波数信号生成手段と、
前記受信チャンネル信号と前記基準周波数信号から生成した伝送制御信号周波数の信号とを混合して伝送制御信号キャリアを得る検波手段と、
前記伝送制御信号キャリアの低域成分である伝送制御信号成分を抽出する伝送制御信号成分抽出手段と、
前記伝送制御信号成分を前記基準周波数信号に基づいて生成された前記伝送制御信号の同期信号パターンと相関受信して伝送制御信号を得る相関受信手段を
有することを特徴とする伝送制御信号受信機。
【請求項２】
請求項１記載の伝送制御信号受信機において、
前記伝送制御信号成分抽出手段は、規格化周波数特性が
ｓｉｎｃ（πｆ）＝ｓｉｎ（πｆ）／πｆ
となる低域フィルタであることを特徴とする伝送制御信号受信機。
【請求項３】
地上デジタルテレビジョン放送の受信チャンネル信号に含まれる伝送制御信号とほぼ同じ周波数の周波数信号を発生し、前記受信チャンネル信号と前記周波数信号とを混合して伝送制御信号キャリアを得る検波手段と、
前記伝送制御信号キャリアの低域成分である伝送制御信号成分を抽出する伝送制御信号成分抽出手段と、
抽出された伝送制御信号成分の遅延検波を行って伝送制御信号を得る遅延検波手段を
有することを特徴とする伝送制御信号受信機。
【請求項４】
請求項３記載の伝送制御信号受信機において、
前記伝送制御信号成分抽出手段は、
前記伝送制御信号キャリアからシンボル同期を再生してシンボル同期信号を得る同期再生手段と、
前記シンボル同期信号に基づいてスイッチングを行って前記伝送制御信号キャリアをキャパシタで積分し、前記伝送制御信号キャリアの低域成分である伝送制御信号成分を通過させるフィルタ手段を
有することを特徴とする伝送制御信号受信機。
【請求項５】
請求項３または４記載の伝送制御信号受信機において、
前記周波数信号は前記地上デジタルテレビジョン放送の受信チャンネル信号の帯域上端にあるパイロットキャリアの周波数に同期した基準周波数信号を基に生成することを特徴とする伝送制御信号受信機。
【請求項６】
請求項３乃至５のいずれか１項に記載の伝送制御信号受信機を複数台有し、
各伝送制御信号受信機で得た伝送制御信号の多数決判定を行う多数決判定手段を
有することを特徴とする伝送制御信号受信機。
【請求項７】
請求項６記載の伝送制御信号受信機において、
前記多数決判定された伝送制御信号を前記伝送制御信号の同期信号パターンと相関受信する相関受信手段を
有することを特徴とする伝送制御信号受信機。
【請求項８】
請求項１乃至７のいずれか１項に記載の伝送制御信号受信機を有する地上デジタルテレビジョン放送受信機であって、前記伝送制御信号受信機が伝送制御信号中の緊急警報放送用起動フラグを検出した場合に、該検出結果に基づき地上デジタルテレビジョン放送受信機のチューナに電源を供給することを特徴とする地上デジタルテレビジョン放送受信機。
【請求項９】
請求項８記載の地上デジタルテレビジョン放送受信機において、
前記伝送制御信号受信機は、地上デジタルテレビジョン放送受信機のリモートコントローラに内蔵されていることを特徴とする地上デジタルテレビジョン放送受信機。
【発明の詳細な説明】
【技術分野】
【０００１】
本発明は、伝送制御信号受信機及びそれを用いた地上デジタルテレビジョン放送受信機に関し、地上デジタルテレビジョン放送の伝送制御信号を受信する伝送制御信号受信機及びそれを用いた地上デジタルテレビジョン放送受信機に関する。
【背景技術】
【０００２】
図１は、従来の緊急警報放送を受信するアナログテレビジョン放送受信機の一例のブロック図を示す。受信アンテナ１から出力されるアンテナ受信信号は、アナログテレビジョン放送チューナ２に入力される。アナログテレビジョン放送チューナ２の出力する映像信号及び音声信号は受像機３に入力される。アナログテレビジョン放送チューナ２は電源４より給電線５を通じて給電される。
【０００３】
緊急警報放送を受信するためには、アナログテレビジョン放送チューナ２の復調系統が動作状態になっている必要がある。一方、受像機３は電源４から給電線６を通じスイッチ７を介して給電される。待機状態にある場合、受像機３の電源はスイッチ７によりオフの状態となっている。
【０００４】
アナログテレビジョン放送チューナ２が緊急警報放送用起動フラグを受信すると、アナログテレビジョン放送チューナ２からスイッチ７にスイッチオン信号８が出力されてスイッチ７がオンとなり、受像機３は給電されて動作状態となる。
【０００５】
なお、ＢＳテレビジョン放送に重畳されて放送される緊急警報放送を受信する緊急警報放送受信システムとして、例えば特許文献１に記載されたシステム等がある。
【特許文献１】特開２００４−２３５９１号公報
【発明の開示】
【発明が解決しようとする課題】
【０００６】
アナログテレビジョン放送と同様に、地上デジタルテレビジョン放送において緊急警報放送による受信機起動を行うには、伝送制御信号の緊急警報放送用起動フラグが受信できるよう地上デジタルテレビジョン放送受信機の復調系統を通電状態で待機させておく必要がある。
【０００７】
図２は、地上デジタルテレビジョン放送受信機の復調系統の一例のブロック図を示す。受信アンテナで受信されたアンテナ受信信号はチャンネル選択部１０に供給され、指定されたチャンネルの信号が選択される。この信号はデジタル化されたのち直交復調部１１で直交復調されて同期再生部１２及びＦＦＴ部１３に供給される。
【０００８】
同期再生部１２はモード，ガードインターバル長に応じてＯＦＤＭシンボル同期及びＦＦＴサンプル周波数を再生する。ＦＦＴ部１３はＯＦＤＭシンボルの有効シンボル期間についてＦＦＴ（Ｆａｓｔ  Ｆｏｕｒｉｅｒ  Ｔｒａｎｓｆｏｒｍ）演算を行う。フレーム抽出部１４ではＦＦＴ部１３の出力するＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ：伝送制御信号）信号からフレーム同期信号を抽出する。ＴＭＣＣ復号部１５ではＴＭＣＣ信号から緊急警報放送用起動フラグを含む各種制御情報を取り出す。
【０００９】
キャリア復調部１６ではＴＭＣＣ情報に応じてキャリア復調を行い、振幅及び位相情報を検出する。デマッピング部１７ではキャリア復調された情報からＱＰＳＫ，１６ＱＡＭ，６４ＱＡＭのデマッピングを行ってビット情報を抽出する。ＴＳ再生部１８ではトランスポートストリーム再生のための処理を行う。ＲＳ復号部１９では短縮化リードソロモン符号の復号を行い、ベースバンドのＭＰＥＧ−ＴＳ（Ｔｒａｎｓｐｏｒｔ  Ｓｔｒｅａｍ）が復号される。
【００１０】
上記の地上デジタルテレビジョン放送受信機の復調系統を通電状態に保つためには、少なくとも数１００ｍＷ程度以上の消費電力が必要であり、電池容量の制約から電池で動作する携帯受信機などにおいては、緊急警報放送による受信機起動は実用的でなく、実現困難であるという問題があった。
【００１１】
本発明は、上記の点に鑑みなされたもので、伝送制御信号を受信するための待機電力を削減することができる伝送制御信号受信機及びそれを用いた地上デジタルテレビジョン放送受信機を提供することを目的とする。
【課題を解決するための手段】
【００１２】
請求項１に記載の発明は、地上デジタルテレビジョン放送の受信チャンネル信号の帯域上端にあるパイロットキャリアの周波数に同期した基準周波数信号を生成する基準周波数信号生成手段と、
前記受信チャンネル信号と前記基準周波数信号から生成した伝送制御信号周波数の信号とを混合して伝送制御信号キャリアを得る検波手段と、
前記伝送制御信号キャリアの低域成分である伝送制御信号成分を抽出する伝送制御信号成分抽出手段と、
前記伝送制御信号成分を前記基準周波数信号に基づいて生成された前記伝送制御信号の同期信号パターンと相関受信して伝送制御信号を得る相関受信手段を有することにより、
伝送制御信号を受信するための待機電力を削減することができる。
【００１３】
請求項３に記載の発明は、地上デジタルテレビジョン放送の受信チャンネル信号に含まれる伝送制御信号とほぼ同じ周波数の周波数信号を発生し、前記受信チャンネル信号と前記周波数信号とを混合して伝送制御信号キャリアを得る検波手段と、
前記伝送制御信号キャリアの低域成分である伝送制御信号成分を抽出する伝送制御信号成分抽出手段と、
抽出された伝送制御信号成分の遅延検波を行って伝送制御信号を得る遅延検波手段を有することにより、
伝送制御信号を受信するための待機電力を削減することができる。
【００１４】
請求項４に記載の発明では、伝送制御信号成分抽出手段は、
前記伝送制御信号キャリアからシンボル同期を再生してシンボル同期信号を得る同期再生手段と、
前記シンボル同期信号に基づいてスイッチングを行って前記伝送制御信号キャリアをキャパシタで積分し、前記伝送制御信号キャリアの低域成分である伝送制御信号成分を通過させるフィルタ手段を有することにより、
簡単な構成で高精度に伝送制御信号成分を抽出できる。
【００１５】
請求項６に記載の発明は、請求項３乃至５のいずれか記載の伝送制御信号受信機を複数台有し、
各伝送制御信号受信機で得た伝送制御信号の多数決判定を行う多数決判定手段を有することにより、
伝送制御信号の検出精度を高くすることができる。
【００１６】
請求項７に記載の発明は、多数決判定された伝送制御信号を前記伝送制御信号の同期信号パターンと相関受信する相関受信手段を有することにより、
伝送制御信号の検出精度を更に高くすることができる。
【００１７】
請求項８に記載の発明は、請求項１乃至７のいずれか記載の伝送制御信号受信機を有する地上デジタルテレビジョン放送受信機であって、前記伝送制御信号受信機が伝送制御信号中の緊急警報放送用起動フラグを検出した場合に、該検出結果に基づき地上デジタルテレビジョン受信機のチューナに電源を供給することにより、
地上デジタルテレビジョン放送受信機における待機電力を削減することができる。
【００１８】
請求項９に記載の発明では、前記伝送制御信号受信機は、地上デジタルテレビジョン放送受信機のリモートコントローラに内蔵されていることにより、
地上デジタルテレビジョン放送受信機における待機電力を削減することができる。
【発明の効果】
【００１９】
本発明によれば、伝送制御信号を受信するための待機電力を削減することができる。
【発明を実施するための最良の形態】
【００２０】
以下、図面を参照して本発明の実施形態について説明する。
【００２１】
図３は、本発明の伝送制御信号受信機を適用した地上デジタルテレビジョン放送受信機の一実施形態のブロック図を示す。同図中、図３において、受信アンテナ２０からのアンテナ受信信号は分配器２２により分配され、一方は伝送制御信号受信機としてのＴＭＣＣ専用受信機２４に供給され、他方は地上デジタルテレビジョン放送チューナ２６に供給される。
【００２２】
地上デジタルテレビジョン放送チューナ２６の出力する映像信号及び音声信号は受像機２８に入力される。地上デジタルテレビジョン放送チューナ２６は電源３０より給電線３２を通じスイッチ３６を介して給電される。受像機２８は電源３０から給電線４０を通じスイッチ４２を介して給電される。待機状態にある場合、地上デジタルテレビジョン放送チューナ２６の電源はスイッチ３６によりオフの状態となっており、受像機２８の電源はスイッチ４２によりオフの状態となっている。
【００２３】
伝送制御信号受信機としてのＴＭＣＣ専用受信機２４は、電源３０から給電線３８を通して給電され常時動作状態にある。ＴＭＣＣ専用受信機２４は地上デジタルテレビジョン放送波のＴＭＣＣ信号に含まれる緊急警報放送用起動フラグを受信するとスイッチオン信号４６を出力し、電源３０から給電線３２を介してつながっているスイッチ３６をオン状態にし、地上デジタルテレビジョン放送チューナ２６を起動させる。地上デジタルテレビジョン放送チューナ２６は、ここで初めて緊急警報放送が受信可能な状態になる。地上デジタルテレビジョン放送チューナ２６が緊急警報放送用起動フラグを受信すると、地上デジタルテレビジョン放送チューナ２６からスイッチ４２にスイッチオン信号４４が出力されてスイッチ４２がオンとなり、受像機２８は電源３０から給電されて動作状態となる。なお、スイッチオン信号４６により、スイッチ３６と共にスイッチ４２を閉成（オン）させても良い。
【００２４】
図４は、本発明の伝送制御信号受信機の第１実施形態のブロック図を示す。ここでは、地上デジタルテレビジョン放送の送信モードをモード３として説明する。図４において、分配されたアンテナ受信信号はＴＭＣＣ専用受信機２４のＴＭＣＣ専用受信機２４内の選択増幅器５０に供給されて増幅される。選択増幅器５０は後述する受信周波数設定回路６４の制御により希望受信周波数範囲（受信チャンネルＣ）が選択され、希望受信周波数近辺が選択増幅される。選択増幅器５０の出力信号は分配器５２により分配されミクサ５４，５６に供給される。
【００２５】
電圧制御発振器５８は周波数ｆｏ（シンボル周波数）で発振する。
【００２６】
ｆｏ＝１００００００／１００８［Ｈｚ］  …（１）
この周波数ｆｏの基準周波数信号は分配器６０により分配されてｍ逓倍ＰＬＬ発振器６２に供給される。ｍ逓倍ＰＬＬ発振器６２は受信周波数設定回路６４により発振周波数及び逓倍数が制御されており、周波数ｆｏをｍ倍に逓倍した信号をミクサ５４に供給する。
【００２７】
ここで、地上デジタルテレビジョン放送のＵＨＦにおける受信チャンネルをＣ（Ｃ＝１３〜６２）とすると、ｍは（２）式で表わされ、ｍ逓倍ＰＬＬ発振器３１６の出力信号の周波数ｆｃｐは（３）式で表わされる。
【００２８】
ｍ＝６０４８・Ｃ＋４０１１１２          …（２）
ｆｃｐ＝ｍ・ｆｏ                        …（３）
周波数ｆｃｐは受信チャンネルＣの帯域上端にあるパイロットキャリアＣＰ（Ｃｏｎｔｉｎｕａｌ  Ｐｉｌｏｔ）の周波数と一致する。このため、ミクサ５４の出力には、選択増幅器５０からの受信信号に含まれる受信チャンネルＣのＣＰとｍ逓倍ＰＬＬ発振器６２の出力との位相差信号が得られる。この位相差信号を低域フィルタ６６により通過帯域を数１００Ｈｚ程度以下に制限して電圧制御発振器５８にフィードバックする。その結果、電圧制御発振器５８の周波数を受信チャンネルＣのＣＰの周波数に同期させることができる。
【００２９】
ミクサ５６には、分配器５２により分配された選択増幅器５０からの信号が入力される。電圧制御発振器５８の出力信号は分配器６０により分配されてｎ逓倍ＰＬＬ発振器６８に供給される。ｎ逓倍ＰＬＬ発振器６８は受信周波数設定回路６４により発振周波数及び逓倍数を制御されており、周波数ｆｏをｎ倍に逓倍した信号をミクサ５６に供給する。
【００３０】
ここで、地上デジタルテレビ放送のＵＨＦにおける受信チャンネルＣを用いてｎは（４・１）式、（４・２）式、（４・３）式、（４・４）のいずれかで表わされ、ｎ逓倍ＰＬＬ発振器６８の出力信号の周波数ｆＴＭＣＣは（５）式で表わされる。
【００３１】
ｎ＝６０４８・Ｃ＋３９８１８９            …（４・１）
ｎ＝６０４８・Ｃ＋３９８２１９            …（４・２）
ｎ＝６０４８・Ｃ＋３９８３７４            …（４・３）
ｎ＝６０４８・Ｃ＋３９８４３７            …（４・４）
ｆＴＭＣＣ＝ｎ・ｆｏ                        …（５）
周波数ｆＴＭＣＣは受信チャンネルＣの帯域内にあるセグメント０におけるＴＭＣＣｌ〜ＴＭＣＣ４のいずれかの周波数と一致する。このため、ミクサ５６の出力には、選択増幅器５０からの受信信号に含まれるＴＭＣＣ信号とｎ逓倍ＰＬＬ発振器６８の出力との位相差信号が得られる。この位相差信号にはＴＭＣＣ信号がベースバンド信号に直接変換されているほか、隣接するＴＭＣＣ以外のＯＦＤＭ（Ｏｒｔｈｏｇｏｎａｌ  Ｆｒｅｑｕｅｎｃｙ  Ｄｉｖｉｓｉｏｎ  Ｍｕ１ｔｉｐ１ｅｘｉｎｇ：直交周波数分割多重）キャリアの影響が高周波成分に含まれる。そのため、低域フィルタ（ＬＰＦ）７０により通過帯域をＯＦＤＭ信号のキャリア間隔である１ｋＨｚ程度以下に制限して出力することで隣接キャリアの影響を排除したベースバンドのＴＭＣＣ信号が得られる。
【００３２】
電圧制御発振器５８の出力する周波数ｆｏの発振信号は、ガードインターバル期間を有効シンボル期間の１／ｇとした場合、ｇ／（ｇ＋１）倍逓倍器７２により逓倍されてＴＭＣＣ差動パターン発生回路７４に供給される。ＴＭＣＣ差動パターン発生回路７４は周波数ｆｏ・ｇ／（ｇ＋１）の信号に同期した既知のＴＭＣＣの差動復調基準１ビットと同期信号１６ビット及びセグメント形式識別３ビットの合計２０ビットの差動パターンを発生して相関受信回路７６に供給する。
【００３３】
低域フィルタ７０の出力するベースバンドのＴＭＣＣ信号は、相関受信回路７６において、上記既知の２０ビットの差動パターンと相関受信され、ＴＭＣＣが正常に受信できるとＴＭＣＣの同期を確立する。同期確立後のＴＭＣＣ信号は、ＥＷＳ（緊急警報放送用起動フラグ）検出回路７８に供給され、ここでＴＭＣＣ信号の第２６ビットの緊急警報放送用起動フラグの有無を常時監視される。ＥＷＳ検出回路７８は緊急警報放送用起動フラグの値が「１：起動制御あり」であることを検出すると、スイッチオン信号４６を出力して、地上デジタルテレビジョン放送チューナ２６などの電源スイッチをオンにする。
【００３４】
地上デジタルテレビジョン放送チューナ２６は、図２に示す直交復調部１１、同期再生部１２、ＦＦＴ部１３、フレーム抽出部１４、ＴＭＣＣ復号部１５、キャリア復調部１６、デマッピング部１７、ＴＳ再生部１８、ＲＳ復号部１９の他に、音声処理部、映像処理部等を有している。このため、地上デジタルテレビジョン放送チューナ２６の消費電力は数１００ｍＷ程度以上となる。
【００３５】
これに対して、ＴＭＣＣ専用受信機２４は、ＴＭＣＣキャリアだけを復調するので、地上デジタルテレビジョン放送チューナ２６の同期再生部１２とＴＭＣＣ復号部１５程度の回路規模であり、回路構成が簡単となって消費電力を数ｍＷ程度に削減できる。
【００３６】
これにより、消費電力が数１００ｍＷ程度以上と比較的大きな地上デジタルテレビジョン放送チューナ２６を待機状態にすることなく、ＴＭＣＣ専用受信機２４を使用することで、数ｍＷ程度の低消費電力により緊急警報放送を常時監視することが可能となる。
【００３７】
特に、携帯電話などに内蔵される地上デジタルテレビジョン放送受信機やポータブル受信機についても、いつでもどこでも緊急警報放送サービスを受信することが可能となる。また、本発明によるＴＭＣＣ専用受信機２４を一般家庭用の地上デジタルテレビジョン放送受信機のリモートコントローラに内蔵し、あるいは緊急警報放送専用のリモートコントローラに内蔵するより、地上デジタルテレビジョン放送受信機本体に改造を加えることなく緊急警報放送に常時対応させることができるようになる。
【００３８】
図５は、本発明の図４の伝送制御信号受信機の変形例のブロック図を示す。図５において、ＴＭＣＣ専用受信機３４が図４のＴＭＣＣ専用受信機２４と異なっている点は、低域フィルタ７０の代りに、規格化周波数特性がｓｉｎｃ（πｆ）＝ｓｉｎ（πｆ）／πｆ型となる低域フィルタ８０を使用している点である。
【００３９】
低域フィルタ８０は、分配器８２と、パルス発生器８４と、スイッチ８６と、キャパシタ８８から構成されている。分配器８２はｇ／（ｇ＋１）倍逓倍器７２の出力信号を分配してパルス発生器８４に供給する。パルス発生器８４には相関受信回路７６から相関が最大となるように制御されたパルスのタイミング制御信号が供給される。
【００４０】
パルス発生器８４は、ＯＦＤＭ信号の有効シンボル期間をＴａ、ガードインターバル期間をＴｇとした場合、有効シンボル期間Ｔａでハイレベル、ガードインターバル期間Ｔｇでローレベルとなる周期Ｔ（＝Ｔａ＋Ｔｇ）のスイッチング信号を生成してスイッチ８６に供給する。
【００４１】
スイッチ８６は、端子ａにミクサ５６から位相差信号を供給されており、端子ｂは接地され、端子ｃは相関受信回路７６の入力端子及び一端を接地されたキャパシタ８８の他端に接続されている。スイッチ８６はパルス発生器８４から供給されるスイッチング信号のハイレベル時に端子ａ，ｃ間を接続し、ローレベル時に端子ｂ，ｃ間を接続する。これにより、位相差信号の有効シンボル期間Ｔａがキャパシタ８８で積分される。これは、周波数ｆａ＝１／Ｔａとして、位相差信号を周波数特性がｓｉｎｃ（πｆ／ｆａ）＝ｓｉｎ（πｆ／ｆａ）／（πｆ／ｆａ）となる低域フィルタを通過させることと等価となる。
【００４２】
このため、ｓｉｎ（πｆ／ｆａ）／（πｆ／ｆａ）の成分を持ち、かつ、他のキャリアと直交関係にあるベースバンドのＴＭＣＣ信号だけを、他のキャリアの干渉を受けることなく簡易かつ理想的に取り出すことができ、このベースバンドのＴＭＣＣ信号が相関受信回路７６に供給される。
【００４３】
図６は、図５のＴＭＣＣ専用受信機を適用した地上デジタルテレビジョン放送受信機の第１実施形態のブロック図を示す。同図中、受信アンテナ９０からのアンテナ受信信号は分配器９２により分配され、ＴＭＣＣ専用受信機２４内の周波数ロック部９４及びＴＭＣＣ同期検波部９６と、地上デジタルテレビジョン放送チューナ９８それぞれに供給される。
【００４４】
周波数ロック部９４は、図４に示すミクサ５４、電圧制御発振器５８、分配器６０、ｍ逓倍ＰＬＬ発振器６２、受信周波数設定回路６４、低域フィルタ６６から構成され、電圧制御発振器５８の周波数を受信チャンネルＣのＣＰの周波数に同期させる。
【００４５】
ＴＭＣＣ同期検波部９６は、図４に示すミクサ５６、ｎ逓倍ＰＬＬ発振器６８から構成され、ＴＭＣＣ信号とｎ逓倍ＰＬＬ発振器６８の出力との位相差信号を得て低域フィルタ１００に供給する。
【００４６】
低域フィルタ１００は低域フィルタ８０と同じ周波数特性がｓｉｎｃ（πｆ）＝ｓｉｎ（πｆ）／πｆ型となるもので、位相差信号からベースバンドのＴＭＣＣ信号を取り出して緊急警報ビット検出部１０２に供給する。
【００４７】
緊急警報ビット検出部１０２は図４に示すｇ／（ｇ＋１）倍逓倍器７２、ＴＭＣＣ差動パターン発生回路７４、相関受信回路７６、ＥＷＳ検出回路７８から構成され、緊急警報放送用起動フラグの値が「起動制御あり」であることを検出するとスイッチオン信号を出力する。スイッチ１０６はこのスイッチオン信号を供給されるとオンして電源１０４が地上デジタルテレビジョン放送チューナ９８及び受像機１０８に接続され、緊急警報放送が受信可能な状態になる。
【００４８】
図７は、本発明の伝送制御信号受信機の第２実施形態の回路構成図を示す。同図中、アンテナ受信信号は伝送制御信号受信機としてのＴＭＣＣ専用受信機１０９に供給され、ＴＭＣＣ直交検波回路１１０の増幅器１１２で増幅されたのち分配器１１４により分配されて、ミクサ１１６，１１８に供給される。発振器１２０は受信チャンネルＣの帯域内にあるセグメント０におけるＴＭＣＣｌ〜ＴＭＣＣ４のいずれかの周波数である周波数ｆＴＭＣＣで発振する。この発振信号はミクサ１１６に供給され、また、移相器１２２でπ／２だけ移相されてミクサ１１８に供給される。これによって、ミクサ１１６からはＩ信号が出力され、ミクサ１１８からはＱ信号が出力される。
【００４９】
上記のＩＱ信号はガード相関回路１２４及び低域フィルタ１２６に供給される。ガード相関回路１２４は、ＩＱ信号それぞれについて図８（Ａ）に示すガードインターバルをスライドして有効シンボル期間の後側のデータと相関をとることにより図８（Ｂ）に示すガードインターバルの開始タイミングを検出し、有効シンボル期間Ｔａでハイレベル、ガードインターバル期間Ｔｇでローレベルとなる周期Ｔ（＝Ｔａ＋Ｔｇ）の図８（Ｃ）に示すスイッチング信号を生成し、低域フィルタ１２６を構成するＩＱ信号それぞれに対応するスイッチ１２８，１３０に供給する。
【００５０】
低域フィルタ１２６は規格化周波数特性がｓｉｎｃ（πｆ）＝ｓｉｎ（πｆ）／πｆ型のものである。スイッチ１２８はスイッチング信号のハイレベル時にキャパシタ１３２側に接続し、ローレベル時に接地側に接続することにより、図８（Ｄ）に示すようにＩ信号の有効シンボル期間Ｔａがキャパシタ１３２で積分される。同様に、スイッチ１３０はスイッチング信号のハイレベル時にキャパシタ１３４側に接続し、ローレベル時に接地側に接続することにより、Ｑ信号の有効シンボル期間Ｔａがキャパシタ１３４で積分される。
【００５１】
このため、ｓｉｎ（πｆ／ｆａ）／（πｆ／ｆａ）の成分を持つＩＱ信号が取り出され、図８（Ｅ）に示すようにサンプリングホールド回路（Ｓ／Ｈ）１３６，１３８それぞれでサンプリングホールドされ、ＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ）遅延検波回路１４０に供給される。
【００５２】
ＤＢＰＳＫ遅延検波回路１４０において、Ｉ信号は直接及び遅延器１４６で１シンボル時間遅延されて減算器１４２に供給され、ここで得られた差分信号ΔＩが演算器１５０に供給される。同様に、Ｑ信号は直接及び遅延器１４８で１シンボル時間遅延されて減算器１４４に供給され、ここで得られた差分信号ΔＱが演算器１５０に供給される。
【００５３】
演算器１５０は、図９（Ａ）に示すような差分信号ΔＩ，ΔＱから（ΔＩ２＋ΔＱ２）１／２を演算して判定器１５２に供給する。判定器１５２は、図９（Ｂ）に示すような（ΔＩ２＋ΔＱ２）１／２を所定の閾値（図中、一点鎖線Ｉで示す）と比較することで判定を行い、ＤＢＰＳＫ遅延検波されたＴＭＣＣ信号を出力する。ＴＭＣＣ信号は、ＥＷＳ検出回路１５４に供給され、ここでＴＭＣＣ信号の第２６ビットの緊急警報放送用起動フラグの有無が常時監視される。ＥＷＳ検出回路１５４は緊急警報放送用起動フラグの値が「１：起動制御あり」であることを検出すると、スイッチオン信号を出力する。
【００５４】
なお、発振器１２０に対しても、図５に示すミクサ５４，電圧制御発振器５８，分配器６０，ｍ逓倍ＰＬＬ発振器６２と同様の回路を追加して、発振器１２０の出力する周波数ｆＴＭＣＣを受信チャンネルＣのＣＰの周波数に同期させる構成としても良い。
【００５５】
この図７のＴＭＣＣ専用受信機１０９も消費電力は図４のものと同程度である。
【００５６】
図１０は、図７のＴＭＣＣ専用受信機を適用した地上デジタルテレビジョン放送受信機の第２実施形態のブロック図を示す。同図中、図７と同一部分には同一符号を付す。図１０において、受信アンテナ１６０からのアンテナ受信信号は分配器１６２により分配され、ＴＭＣＣ専用受信機１０９内のＴＭＣＣ直交検波回路１１０、地上デジタルテレビジョン放送チューナ１６４それぞれに供給される。
【００５７】
ＴＭＣＣ専用受信機１０９は図７に示す構成であり、電源１６６から常時給電されており、緊急警報放送用起動フラグの値が「起動制御あり」であることを検出するとスイッチオン信号を出力する。スイッチ１６８はこのスイッチオン信号を供給されるとオンして電源１６６が地上デジタルテレビジョン放送チューナ１６４及び受像機１７０に接続され、緊急警報放送が受信可能な状態になる。
【００５８】
図１１は、本発明の伝送制御信号受信機の第３実施形態のブロック図を示す。同図中、アンテナ受信信号は伝送制御信号受信機としてのＴＭＣＣ専用受信機１７９に供給され、増幅器１８０で増幅されたのち分配器１８２により分配されて、ＴＭＣＣ専用受信部１８４，１８５，１８６，１８７それぞれに供給される。
【００５９】
ＴＭＣＣ専用受信部１８４〜１８７それぞれは、図７からＥＷＳ検出回路１５４を除いたＴＭＣＣ直交検波回路１１０とガード相関回路１２４と低域フィルタ１２６とＤＢＰＳＫ遅延検波回路１４０から構成されている。但し、直交検波回路１１０の発振器１２０については、ＴＭＣＣ専用受信部１８４ではＴＭＣＣｌの周波数で発振し、ＴＭＣＣ専用受信部１８５ではＴＭＣＣ２の周波数で発振し、ＴＭＣＣ専用受信部１８６ではＴＭＣＣ３の周波数で発振し、ＴＭＣＣ専用受信部１８７ではＴＭＣＣ４の周波数で発振する。
【００６０】
ＴＭＣＣ専用受信部１８４〜１８７それぞれの出力するＴＭＣＣ信号は、多数決回路１８８に供給される。多数決回路１８８は、４系統のＴＭＣＣ信号をシンボル単位で多数決判定を行い、その結果のＴＭＣＣ信号を出力する。ＴＭＣＣ信号は、ＥＷＳ検出回路１９０に供給され、ここでＴＭＣＣ信号の第２６ビットの緊急警報放送用起動フラグの有無を常時監視される。ＥＷＳ検出回路１９０は緊急警報放送用起動フラグの値が「１：起動制御あり」であることを検出すると、スイッチオン信号を出力する。
【００６１】
この実施形態によれば、４系統のＴＭＣＣ信号の多数決を行うことで、ＴＭＣＣ信号の検出精度が更に高くなる。
【００６２】
図１２は、本発明の図１１の伝送制御信号受信機の変形例のブロック図を示す。図１２において、ＴＭＣＣ専用受信機１９１が図１１のＴＭＣＣ専用受信機１７９と異なっている点は、多数決回路１８８とＥＷＳ検出回路１９０の間に、ＴＭＣＣパターン相関受信回路１９２を設けた点である。ＴＭＣＣパターン相関受信回路１９２は、多数決判定結果のＴＭＣＣ信号について、既知のＴＭＣＣの差動復調基準１ビットと同期信号１６ビット及びセグメント形式識別３ビットの合計２０ビットとの相関受信を行い、相関が得られた場合にのみＴＭＣＣ信号の第２６ビットの緊急警報放送用起動フラグをＥＷＳ検出回路１９０に供給する。
【００６３】
この実施形態によれば、ＴＭＣＣパターン相関をチェックすることにより、緊急警報放送用起動フラグの検出精度が更に高くなる。
【００６４】
なお、地上デジタルテレビジョン放送がモード３で放送されているとして説明したが、モード２で放送されている場合には、（１）式の代りに（１Ａ）式を使用し、（４・１）〜（４・４）式の代りに（４・１Ａ）（４・２Ａ）式を使用すれば良いし、本発明が他のモードにも同様に適用できることは明らかである。
【００６５】
ｆｏ＝１００００００／５０４［Ｈｚ］    …（１Ａ）
ｎ＝３０２４・Ｃ＋１９９０６７          …（４・１Ａ）
ｎ＝３０２４・Ｃ＋１９９２２２          …（４・２Ａ）
なお、上記実施形態では、ＴＭＣＣ専用受信機で緊急警報放送用起動フラグを受信することを例にとって説明したが、変調波の伝送制御等に関する付加情報を伝送するＡＣ（Ａｕｘｉｌｉａｒｙ  Ｃｈａｎｎｅｌ）を受信する伝送制御信号受信機に適用しても良く、上記実施形態に限定されるものではない。また、ＴＭＣＣの差動復調基準１ビットと同期信号１６ビット及びセグメント形式識別３ビットの合計２０ビットを正常に受信した確率を求め、上記確率から受信状態を評価することなどに応用できる。
【００６６】
なお、ＴＭＣＣ直交検波回路１１０が請求項記載の検波手段に対応し、ガード相関回路１２４，低域フィルタ１２６が伝送制御信号成分抽出手段に対応し、ＤＢＰＳＫ遅延検波回路１４０が遅延検波手段に対応し、ガード相関回路１２４が同期再生手段に対応し、低域フィルタ１２６がフィルタ手段に対応し、多数決回路１８８が多数決判定手段に対応し、ＴＭＣＣパターン相関受信回路１９２が相関受信手段に対応し、ミクサ５４，電圧制御発振器５８，分配器６０，ｍ逓倍ＰＬＬ発振器６２，受信周波数設定回路６４が基準周波数信号生成手段に対応し、ミクサ５６，ｎ逓倍ＰＬＬ発振器６８が検波手段に対応し、低域フィルタ７０が伝送制御信号成分抽出手段に対応し、ｇ／（ｇ＋１）倍逓倍器７２，ＴＭＣＣ差動パターン発生回路７４，相関受信回路７６が相関受信手段に対応する。
【図面の簡単な説明】
【００６７】
【図１】従来のアナログテレビジョン放送受信機の一例のブロック図である。
【図２】地上デジタルテレビジョン放送受信機の復調系統の一例のブロック図である。
【図３】本発明の伝送制御信号受信機を適用した地上デジタルテレビジョン放送受信機の一実施形態のブロック図である。
【図４】本発明の伝送制御信号受信機の第１実施形態のブロック図である。
【図５】本発明の図４の伝送制御信号受信機の変形例のブロック図である。
【図６】本発明のＴＭＣＣ専用受信機を適用した地上デジタルテレビジョン放送受信機の第１実施形態のブロック図である。
【図７】本発明の伝送制御信号受信機の第２実施形態の回路構成図である。
【図８】図７の回路各部の信号波形図である。
【図９】ＤＢＰＳＫ遅延検波を説明するための図である。
【図１０】本発明のＴＭＣＣ専用受信機を適用した地上デジタルテレビジョン放送受信機の第２実施形態のブロック図である。
【図１１】本発明の伝送制御信号受信機の第３実施形態のブロック図である。
【図１２】本発明の図１１の伝送制御信号受信機の変形例のブロック図である。
【符号の説明】
【００６８】
１，２０，９０，１６０  受信アンテナ
３，２８，１０８，１７０  受像機
４，３０，１０４，１６６  電源
７，３６，４２，１０６，１６８  スイッチ
２２，５２，６０，８２，９２，１１４，１６２，１８２  分配器
２４，３４，１０９，１７９，１９１  ＴＭＣＣ専用受信機
２６，９８，１６４  地上デジタルテレビジョン放送チューナ
５０  選択増幅器
５４，５６，１１６，１１８  ミクサ
５８  電圧制御発振器
６２  ｍ逓倍ＰＬＬ発振器
６４  受信周波数設定回路
６６，７０，８０，１００，１２６  低域フィルタ
６８  ｎ逓倍ＰＬＬ発振器
７２  ｇ／（ｇ＋１）倍逓倍器
７４  ＴＭＣＣ差動パターン発生回路
７６  相関受信回路
７８，１５４，１９０  ＥＷＳ検出回路
８４  パルス発生器
８８，１３２，１３４  キャパシタ
１１０  ＴＭＣＣ直交検波回路
１２４  ガード相関回路
１４０  ＤＢＰＳＫ遅延検波回路
１８４〜１８７  ＴＭＣＣ専用受信部
１８８  多数決回路
１９２  ＴＭＣＣパターン相関受信回路
【図１】
2005295053.tif 000003
【図２】
2005295053.tif 000004
【図３】
2005295053.tif 000005
【図４】
2005295053.tif 000006
【図５】
2005295053.tif 000007
【図６】
2005295053.tif 000008
【図７】
2005295053.tif 000009
【図８】
2005295053.tif 000010
【図９】
2005295053.tif 000011
【図１０】
2005295053.tif 000012
【図１１】
2005295053.tif 000013
【図１２】
2005295053.tif 000014